(57)【要約】【課題】棚板の種類に限らず種々の商品載置棚に対して適用できることで製造コストの低減化を図ること。【解決手段】ケース本体１０に設けられた商品載置棚２０の棚板２３に載置された商品を、前方に向けて移動させるための商品前出装置３０であって、棚板２３から離隔する態様で前後方向に沿ってスライド可能に設けられ、前方に向けてスライドする場合に商品を前方に向けて移動させるプッシャ３２を備えている。このプッシャ３２は、商品載置棚２０の上方においてケース本体１０に設けられた装置本体３１に、下方に向けて突出する態様で前後方向に沿ってスライド可能に設けられていることが好ましい。このプッシャ３２を前方に向けて付勢するコンストンバネ３３を備えたことが好ましい。【選択図】図７
2020130313.tif 000002
【特許請求の範囲】
【請求項１】
ケース本体に設けられた商品載置棚の棚板に載置された商品を、前方に向けて移動させるための商品前出装置であって、
前記棚板から離隔する態様で前後方向に沿ってスライド可能に設けられ、前方に向けてスライドする場合に前記商品を前方に向けて移動させるプッシャを備えたことを特徴とする商品前出装置。
【請求項２】
前記プッシャは、前記商品載置棚の上方において前記ケース本体に設けられた装置本体に、下方に向けて突出する態様で前後方向に沿ってスライド可能に設けられたことを特徴とする請求項１に記載の商品前出装置。
【請求項３】
前記プッシャを前方に向けて付勢する付勢手段を備えたことを特徴とする請求項２に記載の商品前出装置。
【請求項４】
前記プッシャは、前記装置本体に対して左右方向に沿って複数設けられており、それぞれが共通の駆動部により駆動力が付与された場合に、前方に向けてスライドすることを特徴とする請求項２に記載の商品前出装置。
【請求項５】
前記駆動部は、一端が前記装置本体に接続されるとともに前記プッシャと該装置本体の前方に設けられた滑車とを交互に架け渡すように延在する索条体の他端に接続され、該索条体を巻き取ることにより前記駆動力を付与することを特徴とする請求項４に記載の商品前出装置。
【請求項６】
前記プッシャは、上下方向の寸法を変更可能であることを特徴とする請求項２に記載の商品前出装置。
【請求項７】
互いに隣接するプッシャ同士を連結する連結部材を備えたことを特徴とする請求項４又は請求項５に記載の商品前出装置。
【発明の詳細な説明】
【技術分野】
【０００１】
本発明は、商品前出装置に関し、より詳細には、ケース本体に設けられた商品載置棚の棚板に載置された商品を、前方に向けて移動させるための商品前出装置に関するものである。
【背景技術】
【０００２】
従来、例えばスーパーマーケットやコンビニエンスストア等の店舗では、商品を商品載置棚に載置させた状態でケース本体の内部に収納するようにしたショーケースが多く適用されている。
【０００３】
この種のショーケースでは、商品載置棚の棚板の前方部分に載置された商品が店舗の顧客等の利用者に取り出されるため、店舗の従業員等の作業者は、棚板の後方部分に載置された商品を前方部分に移動させ、該後方部分に新たな商品を載置する前出し作業を定期的に行うことが一般的である。
【０００４】
そのような前出し作業を定期的に行うことは作業者にとって煩わしいので、棚板の上面に、該棚板に接する態様で商品を常時前方に向けて押圧するプッシャを備えた商品載置棚が提案されている（例えば、特許文献１参照）。
【先行技術文献】
【特許文献】
【０００５】
【特許文献１】特許第４９３１８１７号公報
【発明の概要】
【発明が解決しようとする課題】
【０００６】
ところで、上述した商品載置棚は、プッシャが棚板に接する態様で商品を常時前方に向けて押圧するので、次のような問題があった。
【０００７】
すなわち、商品載置棚の棚板としては、ガラス棚や鉄板棚、網棚の他、商品を加熱するためのヒータを内蔵した棚や、載置する商品を検出するための静電容量センサを備えた棚等の種々の種類があり、棚板の種類に応じてプッシャを専用に設計する必要があった。そのため、製造コストの増大化を招来する虞れがあった。
【０００８】
本発明は、上記実情に鑑みて、棚板の種類に限らず種々の商品載置棚に対して適用できることで製造コストの低減化を図ることができる商品前出装置を提供することを目的とする。
【課題を解決するための手段】
【０００９】
上記目的を達成するため、本発明に係る商品前出装置は、ケース本体に設けられた商品載置棚の棚板に載置された商品を、前方に向けて移動させるための商品前出装置であって、前記棚板から離隔する態様で前後方向に沿ってスライド可能に設けられ、前方に向けてスライドする場合に前記商品を前方に向けて移動させるプッシャを備えたことを特徴とする。
【００１０】
また本発明は、上記商品前出装置において、前記プッシャは、前記商品載置棚の上方において前記ケース本体に設けられた装置本体に、下方に向けて突出する態様で前後方向に沿ってスライド可能に設けられたことを特徴とする。
【００１１】
また本発明は、上記商品前出装置において、前記プッシャを前方に向けて付勢する付勢手段を備えたことを特徴とする。
【００１２】
また本発明は、上記商品前出装置において、前記プッシャは、前記装置本体に対して左右方向に沿って複数設けられており、それぞれが共通の駆動部により駆動力が付与された場合に、前方に向けてスライドすることを特徴とする。
【００１３】
また本発明は、上記商品前出装置において、前記駆動部は、一端が前記装置本体に接続されるとともに前記プッシャと該装置本体の前方に設けられた滑車とを交互に架け渡すように延在する索条体の他端に接続され、該索条体を巻き取ることにより前記駆動力を付与することを特徴とする。
【００１４】
また本発明は、上記商品前出装置において、前記プッシャは、上下方向の寸法を変更可能であることを特徴とする。
【００１５】
また本発明は、上記商品前出装置において、互いに隣接するプッシャ同士を連結する連結部材を備えたことを特徴とする。
【発明の効果】
【００１６】
本発明によれば、プッシャが、棚板から離隔する態様で前後方向に沿ってスライド可能に設けられ、前方に向けてスライドする場合に商品を前方に向けて移動させるので、ガラス棚や鉄板棚、網棚の他、商品を加熱するためのヒータを内蔵した棚や、載置する商品を検出するための静電容量センサを備えた棚等の種々の種類の棚板に適用することができ、汎用性を有するものとなる。よって、棚板の種類に限らず種々の商品載置棚に対して適用できることで製造コストの低減化を図ることができるという効果を奏する。
【図面の簡単な説明】
【００１７】
【図１】図１は、本発明の実施の形態である商品前出装置を備えたショーケースを模式的に示す断面側面図である。
【図２】図２は、図１に示した商品前出装置を拡大して示す斜視図である。
【図３】図３は、図２に示した商品前出装置を示す斜視図である。
【図４】図４は、図２及び図３に示した商品前出装置の装置本体の内部構造を示す平面図である。
【図５】図５は、図２〜図４に示したプッシャの分解斜視図である。
【図６】図６は、図２〜図４に示したプッシャの分解斜視図である。
【図７】図７は、本発明の実施の形態である商品前出装置の動作を示すための説明図である。
【図８】図８は、本発明の実施の形態である商品前出装置の変形例を示す斜視図である。
【図９】図９は、本発明の実施の形態である商品前出装置の変形例を示す斜視図である。
【図１０】図１０は、図８及び図９に示した商品前出装置の装置本体の内部構造を示す斜視図である。
【図１１】図１１は、図８〜図１０に示したプッシャの分解斜視図である。
【図１２】図１２は、図８〜図１０に示したプッシャの分解斜視図である。
【図１３】図１３は、本発明の実施の形態である商品前出装置の他の変形例を示す正面図である。
【図１４】図１４は、本発明の実施の形態である商品前出装置の他の変形例を示す正面図である。
【発明を実施するための形態】
【００１８】
以下に添付図面を参照して、本発明に係る商品前出装置の好適な実施の形態について詳細に説明する。
【００１９】
図１は、本発明の実施の形態である商品前出装置を備えたショーケースを模式的に示す断面側面図である。ここで例示するショーケースは、例えばスーパーマーケットやコンビニエンスストア等の店舗において商品を収容するものであり、ケース本体１０及び商品前出装置３０を備えて構成されている。
【００２０】
ケース本体１０は、底面部１１、後面部１２及び天面部１３を備え、これら底面部１１、後面部１２及び天面部１３によって囲まれる部分に前面及び左右両側面が開口した商品収容域１４が構成されている。またケース本体１０には、上記商品収容域１４と区画される態様で、通風路１５が設けられている。通風路１５は、底面部１１、後面部１２及び天面部１３の内部に形成されており、下側通風ダクト１５ａ、後側通風ダクト１５ｂ及び上側通風ダクト１５ｃを備えている。
【００２１】
下側通風ダクト１５ａは、底面部１１において、商品収容域１４の底面を構成する底面板１１ａよりも下方となる部分に構成されている。底面板１１ａの前端部分には、左右方向に沿って延在する吸込口１６ａが形成されている。
【００２２】
後側通風ダクト１５ｂは、後面部１２において、商品収容域１４の背面を構成する背面板１２ａよりも後方となる部分に構成されている。この後側通風ダクト１５ｂは、下端部分が下側通風ダクト１５ａの後端部分と連通している。
【００２３】
上側通風ダクト１５ｃは、天面部１３において、商品収容域１４の天面を構成する天面板１３ａよりも上方となる部分に構成されている。この上側通風ダクト１５ｃは、後端部分が後側通風ダクト１５ｂの上端部分と連通している。天面板１３ａの前端部分には、左右方向に沿って延在する吹出口１６ｂが形成されている。
【００２４】
上記通風路１５の内部には、送風ファン１７や蒸発器１８が設置されている。送風ファン１７は、空気を循環させるものである。上記ショーケースにおいては、送風ファン１７が駆動することにより、吸込口１６ａを通じて通風路１５に吸い込んだ空気を吹出口１６ｂまで送出し、該吹出口１６ｂより商品収容域１４に吹き出すことにより、商品収容域１４と通風路１５との間で空気を循環させるものである。
【００２５】
蒸発器１８は、図示せぬ圧縮機、凝縮器及び膨張機構とともに冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。
【００２６】
この蒸発器１８は、送風ファン１７が駆動することにより通風路１５を通過する空気と、膨張機構で低温低圧の状態にされた冷媒とを熱交換させるもの、より詳細には、低温低圧の冷媒が蒸発することにより通風路１５を通過する空気を冷却するものである。この蒸発器１８で蒸発した冷媒は、圧縮機に吸引されて冷凍サイクルを循環することになる。
【００２７】
これにより、上記ショーケースでは、圧縮機及び送風ファン１７が駆動すれば、蒸発器１８を通過した空気が通風路１５を通じて商品収容域１４に循環供給され、商品収容域１４が所望の冷蔵温度に維持されることになる。
【００２８】
商品収容域１４には、上下方向に沿って複数段（図示の例では６段）の商品載置棚２０が設けられている。商品載置棚２０は、背面板１２ａの左右両側部に立設された棚支柱１２ｂに取り付けられた左右一対のブラケット１９に、図示せぬスライダを介して棚板ユニット２１が架設されることにより構成されている。
【００２９】
棚板ユニット２１は、商品が載置される部分であり、図２に示すように、矩形状を成す棚枠２２の内部に棚板２３を支持させることによって構成されている。棚板２３は、矩形状の平板状部材である。棚枠２２は、それぞれ板金等から形成した前枠部２２１、後枠部２２２及び左右一対の側枠部２２３を四周枠組みして構成されたものである。この側枠部２２３に上記スライダの構成要素が取り付けられており、該スライダを介してブラケット１９に連結される。
【００３０】
商品前出装置３０は、複数（図示の例では５つ）設けられており、本実施の形態では、最下段の商品載置棚２０以外の商品載置棚２０に設けられている。尚、複数の商品前出装置３０は、同様の構成を有しているので、以下においては、１つの商品前出装置３０について説明する。
【００３１】
商品前出装置３０は、装置本体３１とプッシャ３２とを備えている。装置本体３１は、例えば板金等から形成された箱状体であり、図３に示すように、商品載置棚２０の側枠部２２３間に架設されるとともに、自身に設けられたストッパ３１ａが側枠部２２３に係止されて配置されている。つまり、装置本体３１は、ケース本体１０に商品載置棚２０を介してケース本体１０に設けられている。この装置本体３１の底部３１１には、図４にも示すように、前後方向が長手方向となる複数のガイド孔３１１ａが、それぞれ所定間隔毎に左右に並ぶように形成されている。
【００３２】
プッシャ３２は、図５及び図６に示すように、プッシャ支持部３２１とプッシャ本体部３２２とを備えて構成されている。プッシャ支持部３２１は、例えば樹脂材により形成されたものであり、左右幅の寸法が、ガイド孔３１１ａの左右幅よりも大きいものである。このプッシャ支持部３２１の底面には、下方に向けて突出する左右一対の支持片３２１ａが形成されている。
【００３３】
プッシャ本体部３２２は、例えば樹脂材により形成されたものであり、左右幅の寸法がガイド孔３１１ａの左右幅の左右幅よりも大きいプッシャ基部３２２１と、このプッシャ基部３２２１より下方に向けて突出する態様で形成されたプッシャ作用部３２２２とを備えている。
【００３４】
このようなプッシャ３２においては、プッシャ支持部３２１の係合片が、円環状に巻かれたコンストンバネ３３を貫通しつつガイド孔３１１ａを上方から下方に向けて貫通し、その後に先端部分がプッシャ基部３２２１に設けられた係合孔３２２１ａを挿通して該係合孔３２２１ａの縁部に係合することで、プッシャ支持部３２１とプッシャ本体部３２２とが連結される。またプッシャ基部３２２１に設けられたプッシャローラ３４の周面の一部が装置本体３１の底部３１１の下面に接する。そして、プッシャ３２（プッシャ作用部３２２２）の下端部分が、図２に示したように、装置本体３１が架設された商品載置棚２０の直下の商品載置棚２０の棚板２３から離隔している。これにより、プッシャ３２は、棚板２３から離隔する態様で前後方向に沿ってスライド可能に設けられている。
【００３５】
そして、上記プッシャ３２においては、上記コンストンバネ３３の一端が、図４に示すように、装置本体３１の前端部分に連結されており、これにより、プッシャ３２が、図７に示すように、コンストンバネ３３の復元力により前方に向けて付勢されている。つまり、コンストンバネ３３は、プッシャ３２を前方に向けて付勢する付勢手段である。
【００３６】
そのような構成を有する商品前出装置３０においては、コンストンバネ３３に付勢されることにより、直下の商品載置棚２０の棚板２３から離隔する態様で設けられたプッシャ３２が、前方に向けてスライドすることにより、該棚板２３に載置された商品を前方に向けて移動させることができる。
【００３７】
以上説明したように、本発明の実施の形態である商品前出装置３０によれば、プッシャ３２が棚板２３から離隔する態様でスライド可能に設けられているので、ガラス棚や鉄板棚、網棚の他、商品を加熱するためのヒータを内蔵した棚や、載置する商品を検出するための静電容量センサを備えた棚等の種々の種類の棚板２３に適用することができ、汎用性を有するものとなる。よって、棚板２３の種類に限らず種々の商品載置棚２０に対して適用できることで製造コストの低減化を図ることができる。
【００３８】
次に、上記商品前出装置３０の変形例について説明する。図８及び図９は、それぞれ本発明の実施の形態である商品前出装置の変形例を示す斜視図である。これら図８及び図９に示すように、商品前出装置４０は、装置本体４１とプッシャ４２とを備えている。
【００３９】
装置本体４１は、例えば板金等から形成された箱状体であり、上述した実施の形態の装置本体３１と同様に、商品載置棚２０の側枠部２２３間に架設されるとともに、自身に設けられたストッパ４１ａが側枠部２２３に係止されて配置されている。つまり、装置本体４１は、ケース本体１０に商品載置棚２０を介してケース本体１０に設けられている。
【００４０】
この装置本体４１の底部４１１には、前後方向が長手方向となる複数のガイド孔４１１ａが、それぞれ所定間隔毎に左右に並ぶように形成されている。また図１０に示すように、装置本体４１の底部４１１の前端部分であって、互いに隣接するガイド孔４１１ａの間となる領域よりも前方部分には、滑車４１１ｂが設けられている。
【００４１】
プッシャ４２は、図１１及び図１２に示すように、プッシャ支持部４２１とプッシャ本体部４２２とを備えて構成されている。プッシャ支持部４２１は、例えば板金等により形成されたものであり、左右幅の寸法が、ガイド孔４１１ａの左右幅よりも大きいものである。このプッシャ支持部４２１の上面の前端部分には、プッシャ用滑車４２１ａが設けられている。
【００４２】
プッシャ本体部４２２は、例えば板金等により形成されたものであり、左右幅の寸法がガイド孔４１１ａの左右幅の左右幅よりも大きいプッシャ基部４２２１と、このプッシャ基部４２２１より下方に向けて突出する態様で形成されたプッシャ作用部４２２２とを備えている。
【００４３】
このようなプッシャ４２においては、次のようにしてプッシャ支持部４２１とプッシャ本体部４２２とが連結される。すなわち、プッシャ基部４２２１より上方に向けて突出する態様で形成された２つの円筒状部材４３がガイド孔４１１ａを下方から上方に向けて貫通し、該円筒状部材４３の上面がプッシャ支持部４２１に形成された取付孔４２１ｂを臨む態様で該プッシャ支持部４２１の下面に当接し、該取付孔４２１ｂを上方から貫通する図示せぬ取付ピンが円筒状部材４３の中空部４３ａに侵入して該円筒状部材４３と螺合する結果、プッシャ支持部４２１とプッシャ本体部４２２とが連結される。
【００４４】
そして、プッシャ４２においては、プッシャ支持部４２１に設けられたプッシャローラ４４の周面の一部が装置本体４１の底部４１１の上面に接するとともに、プッシャ基部４２２１に設けられたプッシャローラ４５の周面の一部が装置本体４１の底部４１１の下面に接する。そして、プッシャ４２（プッシャ作用部４２２２）の下端部分が、装置本体４１が架設された商品載置棚２０の直下の商品載置棚２０の棚板２３から離隔している。これにより、プッシャ４２は、棚板２３から離隔する態様で前後方向に沿ってスライド可能に設けられている。
【００４５】
ところで、上記商品前出装置４０においては、図８〜図１０に示したように、装置本体４１の右方側の前端部分に巻取部４６が設けられている。この巻取部４６には、図１０に示したように、一端が装置本体４１の左方側の前端部分に接続され、プッシャ用滑車４２１ａと滑車４１１ｂとを左方から右方に向けて交互に架け渡すように延在する索条体４７の他端が連結されている。このような巻取部４６には、モータ４８が連係しており、かかるモータ４８が制御部５０からの指令に応じて駆動することにより、巻取部４６は、自身の中心軸回りに上方から見て時計回りに回転して索条体４７を巻き取るものである。これにより、各プッシャ４２には、駆動力が付与され、それぞれのプッシャ４２が前方に向けてスライドする。つまり、巻取部４６は、プッシャ４２のそれぞれに駆動力を付与する共通の駆動部を構成している。
【００４６】
そのような構成を有する商品前出装置４０においては、制御部５０から与えられる指令に応じてモータ４８が駆動することにより巻取部４６が回転し、索条体４７を巻き取ることで、各プッシャ４２に対し駆動力が付与され、それぞれのプッシャ４２が前方に向けてスライドする。つまり、直下の商品載置棚２０の棚板２３から離隔する態様で設けられたそれぞれのプッシャ４２が、前方に向けてスライドすることにより、該棚板２３に載置された商品を前方に向けて移動させることができる。
【００４７】
以上説明したように、上記商品前出装置４０によれば、各プッシャ４２が棚板２３から離隔する態様でスライド可能に設けられているので、ガラス棚や鉄板棚、網棚の他、商品を加熱するためのヒータを内蔵した棚や、載置する商品を検出するための静電容量センサを備えた棚等の種々の種類の棚板２３に適用することができ、汎用性を有するものとなる。よって、棚板２３の種類に限らず種々の商品載置棚２０に対して適用できることで製造コストの低減化を図ることができる。
【００４８】
また上記商品前出装置４０によれば、各プッシャ４２は、駆動力が付与された場合に前方に向けてスライドするので、常態においては前方にスライドするものではない。そのため、各プッシャ４２は、棚板２３に載置された商品を前方に向けて常時押圧しない。これにより、商品を常時押圧することで該商品が破損してしまうことを防止することができるとともに、店舗の顧客等の利用者が商品を取り出す際にも押圧力が作用せず、利用者が容易に商品の取り出しを行うことができ、利便性を向上させることができる。
【００４９】
更に上記商品前出装置４０によれば、各プッシャ４２に駆動力を付与する駆動源を共通化させることで、部品点数の削減を図ることができるとともに、消費電力量の低減化を図ることができる。
【００５０】
以上、本発明の好適な実施の形態及び変形例について説明したが、本発明は、これらに限定されるものではなく、種々の変更を行うことができる。
【００５１】
本発明においては、図１３に示すように、プッシャ３２は、アタッチメント部材ＡＴをプッシャ本体部３２２に装着することにより、上下方向の寸法を変更可能であってもよいし、プッシャ本体部３２２に内蔵された拡張部材３２２２ａを下方に突出するよう引き出して、上下方向の寸法を変更可能であってもよい。これによれば、棚板２３に載置された商品の高さが異なる場合に、各商品の高さに応じてプッシャ３２の上下寸法を変更し、該商品を良好に前方に向けて移動させることができる。
【００５２】
本発明においては、図１４に示すように、互いに隣接するプッシャ３２同士を連結する連結部材Ｒが設けられてもよい。これによれば、棚板２３に載置された商品の左右寸法が大きい場合に、該商品を良好に前方に向けて移動させることができる。
【００５３】
上述した実施の形態では、巻取部４６が、プッシャ３２のそれぞれに駆動力を付与する共通の駆動部を構成していたが、本発明においては、駆動部の形態については特に限定されるものではない。
【００５４】
上述した実施の形態の巻取部４６は、モータ４８が連係されており、モータ４８が駆動する場合に回転するものであったが、本発明においては、巻取部４６は、ショーケースに内蔵、あるいはショーケースの外部に設けられた駆動力付与機構により駆動力が付与されて回転する場合に、各プッシャ４２に駆動力を付与するものであってもよい。この駆動力付与機構は、巻取部４６に駆動力を付与する部分が上下方向に沿って移動可能に設けられ、任意の高さレベルの巻取部４６に対して駆動力を付与するような構成を有することが好ましい。
【符号の説明】
【００５５】
１０  ケース本体
１２ｂ  棚支柱
１４  商品収容域
１９  ブラケット
２０  商品載置棚
２１  棚板ユニット
２２  棚枠
２３  棚板
３０  商品前出装置
３１  装置本体
３１１ａ  ガイド孔
３２  プッシャ
３２１  プッシャ支持部
３２１ａ  支持片
３２２  プッシャ本体部
３２２１  プッシャ基部
３２２２  プッシャ作用部
３３  コンストンバネ
【図１】
2020130313.tif 000003
【図２】
2020130313.tif 000004
【図３】
2020130313.tif 000005
【図４】
2020130313.tif 000006
【図５】
2020130313.tif 000007
【図６】
2020130313.tif 000008
【図７】
2020130313.tif 000009
【図８】
2020130313.tif 000010
【図９】
2020130313.tif 000011
【図１０】
2020130313.tif 000012
【図１１】
2020130313.tif 000013
【図１２】
2020130313.tif 000014
【図１３】
2020130313.tif 000015
【図１４】
2020130313.tif 000016